(57)【要約】【課題】メンバーが他のメンバーの電話番号を知らなくても、該他のメンバーに電話をかけることができ、メンバー間の連絡には通常の電話機を使用可能である連絡網を安価に構築することができるようにすること。【解決手段】連絡網運営サーバ１のサービス受付部１１が代表装置（情報機器３０又は電話機３１）から連絡網運営サービスの申し込みを受け付け、連絡網シート登録部１２が、代表装置が作成した連絡網シートに各メンバーに対応する仮番号を設定して該連絡網シートを登録して、代表メンバー３を通じて各メンバーに仮番号を通知し、電話番号登録部１３が各メンバーの電話番号を仮番号に対応付けて登録し、電話回線接続部１４が、メンバーの電話機が仮番号に電話をかけたときに、該仮番号に対応する電話番号を取得し、該電話番号に対して電話回線を接続する。【選択図】図１
2009049874.tif 000002
【特許請求の範囲】
【請求項１】
複数のメンバーで構成されるグループに対する連絡網を構築する連絡網運営サーバであって、
上記グループの代表メンバーが操作する代表装置から連絡網運営サービスの申し込みを受け付けるサービス受付手段と、
上記代表装置に対して連絡網シートを作成するための手段を提供し、該代表装置が連絡網シートを作成するための手段を用いて作成した連絡網シートに各メンバーに対応する仮番号を設定して該連絡網シートを登録する連絡網シート登録手段と、
各メンバーの電話番号を仮番号に対応付けて登録する電話番号登録手段と、
メンバーの電話機が仮番号に電話をかけたときに、該仮番号に対応する電話番号を取得して、該電話番号に対して電話回線を接続する電話回線接続手段とを備える
ことを特徴とする連絡網運営サーバ。
【請求項２】
上記サービス受付手段によって上記連絡網運営サービスの申し込みが受け付けられたときに、上記連絡網シート登録手段が、上記代表装置から送信された、上記連絡網シートを作成するための手段の提供方法の選択情報に応じた方法で、該連絡網シートを作成するための手段を該代表装置に対して提供する
ことを特徴とする請求項１に記載の連絡網運営サーバ。
【請求項３】
上記仮番号が、上記サービス受付手段によって受け付けられた連絡網運営サービスの識別番号、上記連絡網シート登録手段によって登録された連絡網シートの識別番号、メンバーの識別番号を含み、
上記電話番号登録手段が、メンバーの電話機が仮番号に電話をかけたときに、該仮番号に含まれる連絡網運営サービスの識別番号、連絡網シートの識別番号、メンバーの識別番号にそれぞれ対応する連絡網運営サービス、連絡網シート、メンバーを特定するとともに、該特定されたメンバーが上記電話をかけた電話機を操作するメンバーであるかを判断し、該特定されたメンバーが上記電話をかけた電話機を操作するメンバーでないと判断された場合に、上記電話回線接続手段に指示して該仮番号に対応する電話番号に対して電話回線を接続させ、該特定されたメンバーが上記電話をかけた電話機を操作するメンバーであると判断した場合に、該電話をかけた電話機を操作するメンバーについてのパスワード設定処理、電話番号の登録処理、もしくは、パスワード又は電話番号の確認処理を実行することを特徴とする請求項１又は請求項２に記載の連絡網運営サーバ。
【請求項４】
上記連絡網シートが、少なくとも、メンバーの数、メンバー名、メンバーの配置、連絡順序、各メンバーの仮番号の情報を含む
ことを特徴とする請求項１，２，又は請求項３に記載の連絡網運営サーバ。
【請求項５】
上記サービス受付手段が、更に、上記グループの代表メンバーが操作する代表装置から連絡網シートの更新要求を受け付け、
上記連絡網シート登録手段が、更に、上記更新要求された連絡網シートを該代表装置に提供し、該代表装置が該連絡網シートに基づいて作成した新たな連絡網シートで上記更新要求された連絡網シートを更新する
ことを特徴とする請求項４に記載の連絡網運営サーバ。
【請求項６】
複数のメンバーで構成されるグループの代表メンバーが操作する代表装置と、各メンバーが操作する電話機と、上記代表装置及び電話機と公衆通信網を通じて接続された連絡網運営サーバとを備え、上記グループに対する連絡網を構築する連絡網システムであって、  上記連絡網サーバが、
上記代表装置から連絡網運営サービスの申し込みを受け付けるサービス受付手段と、
上記代表装置に対して連絡網シートを作成するための手段を提供し、該代表装置が該連絡網シートを作成するための手段を用いて作成した連絡網シートに各メンバーに対応する仮番号を設定して該連絡網シートを登録する連絡網シート登録手段と、
各メンバーの電話番号を仮番号に対応付けて登録する電話番号登録手段と、
メンバーの電話機が仮番号に電話をかけたときに、該仮番号に対応する電話番号を取得して、該電話番号に対して電話回線を接続する電話回線接続手段とを備える
ことを特徴とする連絡網システム。
【請求項７】
複数のメンバーで構成されるグループに対する連絡網を構築する連絡網構築方法であって、
上記グループの代表メンバーが操作する代表装置から連絡網運営サービスの申し込みを受け付け、
上記代表装置に対して連絡網シートを作成するための手段を提供し、該代表装置が該連絡網シートを作成するための手段を用いて作成した連絡網シートに各メンバーに対応する仮番号を設定して該連絡網シートを登録し、
各メンバーの電話番号を仮番号に対応付けて登録し、
メンバーの電話機が仮番号に電話をかけたときに、該仮番号に対応する電話番号を取得して、該電話番号に対して電話回線を接続する
ことを特徴とする連絡網構築方法。
【請求項８】
複数のメンバーで構成されるグループに対する連絡網を構築する連絡網構築プログラムであって、
コンピュータに、
上記グループの代表メンバーが操作する代表装置から連絡網運営サービスの申し込みを受け付ける処理と、
上記代表装置に対して連絡網シートを作成するための手段を提供し、該代表装置が該連絡網シートを作成するための手段を用いて作成した連絡網シートに各メンバーに対応する仮番号を設定して該連絡網シートを登録し、
各メンバーの電話番号を仮番号に対応付けて登録する処理と、
メンバーの電話機が仮番号に電話をかけたときに、該仮番号に対応する電話番号を取得して、該電話番号に対して電話回線を接続する処理とを実行させる
ことを特徴とする連絡網構築プログラム。
【発明の詳細な説明】
【技術分野】
【０００１】
本発明は、複数のメンバーで構成されるグループに対する連絡網を構築する連絡網運営サーバ、連絡網システム、連絡網構築方法、及び連絡網構築プログラムに関し、特に、メンバーが他のメンバーの電話番号を知らなくても、該他のメンバーに電話をかけることを可能とする連絡網運営サーバ、連絡網システム、連絡網構築方法、及び連絡網構築プログラムに関する。
【背景技術】
【０００２】
従来、複数のメンバーで構成されるグループに対する連絡網を構築するためには、メンバーの代表者が、各メンバーから電話番号を聞き取って、該電話番号が設定された連絡網シートを作成し、各メンバーに該連絡網シートを配布することで連絡網を構築していた。各メンバーは、連絡網シートに設定された電話番号を参照して、電話をかけたい相手に対して電話連絡する。このような従来技術によれば、連絡網を無料で構築することができる。
なお、下記の特許文献１には、グループに属する任意のメンバーである起動メンバーから、コールリレ−サービスの起動を要求されると、その起動メンバーから順にグループ内のメンバー間に巡回的に回線を接続するように制御する通信制御装置及び通信制御方法について記載されている。
【特許文献１】特開２００３−２１９０３５号公報
【発明の開示】
【発明が解決しようとする課題】
【０００３】
しかし、昨今、個人情報保護法が施行されたこともあって、電話番号などの個人情報の取り扱いが厳しく制限されるようになった。従って、メンバーの代表者が各メンバーの電話番号を聞き取ることを通じて連絡網を構築することが困難となってきている。
最近は、Ｗｅｂブラウザを用いることができる携帯電話又はＩＰ電話ユーザーを対象に、メンバーが相手の電話番号を知らなくても電話をかけたい相手に接続可能なサービスも現れてきているが、該サービスは、各メンバーの電話番号を誰か（例えば代表者）が登録する必要があるため、メンバーの電話番号が全く知られないということにはならない。また、該サービスは、Ｗｅｂブラウザを用いることができる携帯電話又はＩＰ電話が必須であり、更に、無料で連絡網を構築することができる前述した従来技術と比較して、相当な料金がかかる。
本発明は上記問題点を解決するためになされたものであって、メンバーが他のメンバーの電話番号を知らなくても、該他のメンバーに電話をかけることができ、メンバー間の連絡には通常の電話機を使用可能である連絡網を安価に構築することができる連絡網運営サーバ、連絡網システム、連絡網構築方法、及び連絡網構築プログラムの提供を目的とする。
【課題を解決するための手段】
【０００４】
上記課題を解決するため、本発明は、グループの各メンバーからの電話番号の取得機能及び連絡網シートの作成・配布機能を備えるサーバを設け、該サーバが該グループに対する連絡網を構築することで、グループの代表者自身が他メンバーの電話番号を認知しなくても連絡網を構築することができるようにする。
すなわち、本発明においては、次のようにして前記課題を解決する。
（１）複数のメンバーで構成されるグループに対する連絡網を構築する連絡網運営サーバを設ける。上記連絡網運営サーバが、上記グループの代表メンバーが操作する代表装置から連絡網運営サービスの申し込みを受け付けるサービス受付手段と、上記代表装置に対して連絡網シートを作成するための手段を提供し、該代表装置が連絡網シートを作成するための手段を用いて作成した連絡網シートに各メンバーに対応する仮番号を設定して該連絡網シートを登録する連絡網シート登録手段と、各メンバーの電話番号を仮番号に対応付けて登録する電話番号登録手段と、メンバーの電話機が仮番号に電話をかけたときに、該仮番号に対応する電話番号を取得して、該電話番号に対して電話回線を接続する電話回線接続手段とを備える。
（２）上記サービス受付手段によって上記連絡網運営サービスの申し込みが受け付けられたときに、上記連絡網シート登録手段が、上記代表装置から送信された、上記連絡網シートを作成するための手段の提供方法の選択情報に応じた方法で、該連絡網シートを作成するための手段を該代表装置に対して提供する。
（３）上記仮番号が、上記サービス受付手段によって受け付けられた連絡網運営サービスの識別番号、上記連絡網シート登録手段によって登録された連絡網シートの識別番号、メンバーの識別番号を含む。また、上記電話番号登録手段が、メンバーの電話機が仮番号に電話をかけたときに、該仮番号に含まれる連絡網運営サービスの識別番号、連絡網シートの識別番号、メンバーの識別番号にそれぞれ対応する連絡網運営サービス、連絡網シート、メンバーを特定するとともに、該特定されたメンバーが上記電話をかけた電話機を操作するメンバーであるかを判断し、該特定されたメンバーが上記電話をかけた電話機を操作するメンバーでないと判断された場合に、上記電話回線接続手段に指示して該仮番号に対応する電話番号に対して電話回線を接続させ、該特定されたメンバーが上記電話をかけた電話機を操作するメンバーであると判断した場合に、該電話をかけた電話機を操作するメンバーについてのパスワード設定処理、電話番号の登録処理、もしくは、パスワード又は電話番号の確認処理を実行する。
（４）上記連絡網シートが、少なくとも、メンバーの数、メンバー名、メンバーの配置、連絡順序、各メンバーの仮番号の情報を含む。
（５）上記サービス受付手段が、更に、上記グループの代表メンバーが操作する代表装置から連絡網シートの更新要求を受け付ける。また、上記連絡網シート登録手段が、更に、上記更新要求された連絡網シートを該代表装置に提供し、該代表装置が該連絡網シートに基づいて作成した新たな連絡網シートで上記更新要求された連絡網シートを更新する。
（６）複数のメンバーで構成されるグループの代表メンバーが操作する代表装置と、各メンバーが操作する電話機と、上記代表装置及び電話機と公衆通信網を通じて接続された連絡網運営サーバとを備え、上記グループに対する連絡網を構築する連絡網システムを設ける。上記連絡網サーバが、上記代表装置から連絡網運営サービスの申し込みを受け付けるサービス受付手段と、上記代表装置に対して連絡網シートを作成するための手段を提供し、該代表装置が該連絡網シートを作成するための手段を用いて作成した連絡網シートに各メンバーに対応する仮番号を設定して該連絡網シートを登録する連絡網シート登録手段と、各メンバーの電話番号を仮番号に対応付けて登録する電話番号登録手段と、メンバーの電話機が仮番号に電話をかけたときに、該仮番号に対応する電話番号を取得して、該電話番号に対して電話回線を接続する電話回線接続手段とを備える。
（７）複数のメンバーで構成されるグループに対する連絡網を構築する連絡網構築方法を用いる。上記連絡網構築方法が、上記グループの代表メンバーが操作する代表装置から連絡網運営サービスの申し込みを受け付け、上記代表装置に対して連絡網シートを作成するための手段を提供し、該代表装置が該連絡網シートを作成するための手段を用いて作成した連絡網シートに各メンバーに対応する仮番号を設定して該連絡網シートを登録し、各メンバーの電話番号を仮番号に対応付けて登録し、メンバーの電話機が仮番号に電話をかけたときに、該仮番号に対応する電話番号を取得して、該電話番号に対して電話回線を接続する。
（８）複数のメンバーで構成されるグループに対する連絡網を構築する連絡網構築プログラムを設ける。上記連絡網構築プログラムが、コンピュータに、上記グループの代表メンバーが操作する代表装置から連絡網運営サービスの申し込みを受け付ける処理と、上記代表装置に対して連絡網シートを作成するための手段を提供し、該代表装置が該連絡網シートを作成するための手段を用いて作成した連絡網シートに各メンバーに対応する仮番号を設定して該連絡網シートを登録する処理と、各メンバーの電話番号を仮番号に対応付けて登録する処理と、メンバーの電話機が仮番号に電話をかけたときに、該仮番号に対応する電話番号を取得して、該電話番号に対して電話回線を接続する処理とを実行させる。
【発明の効果】
【０００５】
本発明によれば、以下の効果を奏することができる。
（１）本発明の連絡網運営サーバは、グループの各メンバーの電話番号を仮番号に対応付けて登録し、メンバーの電話機が仮番号に電話をかけたときに、該仮番号に対応する電話番号を取得して、該電話番号に対して電話回線を接続する。従って、本発明によれば、グループのメンバーの誰もが、他のメンバーの電話番号を知らなくても該他のメンバーに対して連絡することができる。その結果、個人情報である電話番号の漏洩を防止しつつ、メンバー間で連絡することを可能とすることができる。
（２）本発明の連絡網システムは、グループの代表メンバーが操作する代表装置と、各メンバーが操作する電話機と、上記代表装置及び電話機と公衆通信網を通じて接続された連絡網運営サーバとから構成される。すなわち、本発明の連絡網システムは、連絡網運営サービスの提供を受けるための専用の特殊な装置を必要とすることなく、上記グループに対して連絡網運営サービスを提供する。従って、本発明によれば、各メンバーは、各メンバーが通常使用している電話機を用いて他のメンバーに対して電話連絡することができる。また、該電話連絡のための電話料金は、通常の電話料金として処理することが可能となる。
（３）本発明の連絡網システムは、公衆通信網を用いるので、ＩＰ電話網などの特殊な通信網を必要としない。従って、本発明によれば、安価なサービス料金で連絡網運営サービスを提供することができる。
（４）本発明の連絡網構築サーバは、代表装置から更新要求された連絡網シートを該代表装置に提供（例えば、表示）し、該代表装置が該連絡網シートに基づいて作成した新たな連絡網シートで上記更新要求された連絡網シートを更新する。従って、本発明によれば、代表メンバーが、例えば代表装置上に表示された連絡網シートから必要な情報をコピーした上で、新規メンバーの設定等の処理を行うことで、更新後の新たな連絡網シートを容易に作成することが可能となる。
【発明を実施するための最良の形態】
【０００６】
図１は、本発明の全体構成の一例を示す図である。本発明の連絡網システムは、連絡網運営サーバ１と、複数のメンバーで構成されるグループの代表メンバー３が操作する情報機器３０及び電話機３１と、各メンバーが操作する電話機４１、５１とを備える。図１中の２は公衆通信網６を通じた通信サービスを提供する通信キャリア（電気通信事業者）である。
連絡網運営サーバ１は、上記グループに対する連絡網を構築するサーバであり、公衆通信網６を通じて、代表メンバー３が操作する情報機器３０及び電話機３１、各メンバーが操作する電話機４１、５１と接続されている。情報機器３０、電話機３１は、代表メンバーが操作する代表装置である。情報機器３０は、例えばパーソナルコンピュータ（ＰＣ）である。また、電話機４１は、第２のメンバー４が操作する電話機であり、電話機５１は、第３のメンバー５が操作する電話機である。電話機４１、５１は、例えば携帯電話である。なお、代表メンバー３が上記グループの第１のメンバーである。図１においては、グループを構成する３人のメンバーを示しているが、本発明において、グループを構成するメンバーの数は３人に限定されるものではなく、任意の複数のメンバーがグループを構成するようにしてもよい。
【０００７】
連絡網運営サーバ１は、サービス受付部１１、連絡網シート登録部１２、電話番号登録部１３、電話回線接続部１４、サービス期間管理部１５、連絡網シート記憶部１６、仮番号・本番号対応テーブル１７を備える。
サービス受付部１１は、代表メンバー３が操作する情報機器３０又は電話機３１から、連絡網運営サービスの申し込みを受け付ける。連絡網運営サービスは、少なくとも、グループに対する連絡網を構築するサービス、グループのメンバーから電話を受けて、該電話の相手先に対して電話回線を接続するサービスを含むサービスである。上記連絡網を構築するサービスには、連絡網シートを作成するサービスや、連絡網シートを変更するサービス（シート変更サービス）が含まれる。なお、情報機器３０又は電話機３１は、サービス受付部１１に対して連絡網シートの更新要求をすることで、上記シート変更サービスの申し込みを行う。
【０００８】
連絡網シート登録部１２は、情報機器３０に対して、連絡網シートを作成するための手段（以下、「シート作成ツール」という）を提供する。該シート作成ツールは、例えば、連絡網シートを作成するためのＷｅｂサイト（以下、「シート作成サイト」という）や、連絡網シートを作成するために必要なソフトウェアプログラム（以下、「ツールソフト」という）である。
また、連絡網シート登録部１２は、情報機器３０がシート作成ツールを用いて作成した連絡網シートに各メンバーに対応する仮番号を設定し、該連絡網シートを登録して連絡網シート記憶部１６に記憶する。該設定される仮番号のデータ構成については、図３を参照して後述する。
また、各メンバーに代表メンバーが仮番号を通知する。例えば、連絡網シート登録部１２が、代表メンバー３が操作する情報機器３０に対して、該仮番号が設定された連絡網シートの情報を送信し、代表メンバー３が、メンバーの集会において該連絡網シートを各メンバーに配布することで仮番号を通知したり、Ｗｅｂの閲覧等を通じて各メンバーに仮番号を通知したりする。本発明の一実施形態によれば、代表メンバー３の情報機器３０内に、各メンバー（の電話機）の電子メールアドレスが予め記憶されており、該情報機器３０が、上記連絡網シート登録部１２から連絡網シートを受信した時に、電子メールを通じて各メンバー（の電話機）に仮番号を通知するようにしてもよい。
【０００９】
本発明の一実施形態によれば、連絡網シート登録部１２が、上記サービス受付部１１によって上記連絡網運営サービスの申し込みが受け付けられたときに、代表メンバーが操作する情報機器３０から送信された、シート作成ツールの提供方法の選択情報に応じた方法で、該シート作成ツールを該情報機器３０に対して提供するようにしてもよい。シート作成ツールの提供方法の選択情報は、連絡網シート登録部１２からのシート作成ツールの提供方法を選択する情報である。シート作成ツールの提供方法の選択情報は、例えば、連絡網シート登録部１２が管理するシート作成サイトのＵＲＬ（Uniform Resource Locator）の提示によるシート作成ツールの提供を選択するのか、連絡網運営サーバ１の所定の記憶手段内に記憶されているシート作成ツールのダウンロードによるシート作成ツールの提供を選択するのかを示す情報である。なお、上記連絡網シートを作成するためのＵＲＬの提示によるシート作成ツールの提供は、情報機器３０が、代表メンバー３の操作に従って、連絡網シート登録部１２が管理するＷｅｂ上（シート作成サイト上）で連絡網シートを作成することを意味する。
また、連絡網シート登録部１２は、情報機器３０に対して連絡網シートを変更するための手段（以下、「シート変更ツール」という）を提供する。該シート変更ツールは、例えば、連絡網シートを変更するためのＷｅｂサイト（以下、「シート変更サイト」という）や、連絡網シートを作成するために必要なソフトウェアプログラム（以下、「変更ツールソフト」という）である。連絡網シート登録部１２は、情報機器３０にシート変更ツールを提供した後、情報機器３０から更新要求された連絡網シートを該情報機器３０に提供（表示）し、該情報機器３０が該連絡網シートに基づいて作成した新たな連絡網シートで該連絡網シートを更新する。
【００１０】
電話番号登録部１３は、各メンバーの電話番号を仮番号に対応付けて登録する。具体的には、電話番号登録１３は、メンバーの電話機から電話を受けて、該電話機を操作するメンバーの指定入力に従って、該メンバーの電話番号を本番号として入力し、入力された本番号を、上記連絡網シート登録部１２によって設定された該メンバーの仮番号と対応付けて仮番号・本番号対応テーブル１７に記憶する。
本発明の一実施形態によれば、電話番号登録部１３が、メンバーの電話機が仮番号に電話をかけたときに、該仮番号に含まれる連絡網運営サービスの識別番号、連絡網シートの識別番号、メンバーの識別番号にそれぞれ対応する連絡網運営サービス、連絡網シート、メンバーを特定するとともに、該特定されたメンバーが上記電話をかけた電話機を操作するメンバーであるかを判断する。電話番号登録部１３は、該特定されたメンバーが上記電話をかけた電話機を操作するメンバーでないと判断された場合に、後述する電話回線接続部１４に指示して該仮番号に対応する電話番号に対して電話回線を接続させ、該特定されたメンバーが上記電話をかけた電話機を操作するメンバーであると判断した場合に、該電話をかけた電話機を操作するメンバーについてのパスワード設定処理、電話番号の登録処理、もしくは、パスワード又は電話番号の確認処理を実行する。
【００１１】
電話回線接続部１４は、メンバーの電話機が仮番号に電話をかけたときに、上記電話番号登録部１３からの指示に従って、仮番号・本番号対応テーブル１７から該仮番号に対応する電話番号を取得し、該電話番号に対して電話回線を接続する。
サービス期間管理部１５は、連絡網運営サービスをグループに対して提供する期間であるサービス期間を管理する。具体的には、サービス期間管理部１５は、サービス期間を設定する他、サービス期間が終了したかを判断する。
連絡網シート記憶部１６には、連絡網シートが記憶される。仮番号・本番号対応テーブル１７には、仮番号と本番号との対応情報が記憶される。
なお、上述した連絡網運営サーバ１及びその各部の機能は、ＣＰＵとその上で実行されるプログラムにより実現される。当該本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【００１２】
図２は、連絡網シートの一例を示す図である。
図２に示す連絡網シートは、少なくとも、メンバーの数、メンバー名、メンバーの配置、連絡順序、各メンバーの仮番号の情報を含む。メンバーの数は、該連絡網シートが提供されるグループのメンバーの数である。メンバーの数は、図２中のメンバーの数欄に設定される。メンバー名は、該グループのメンバーの名前である。メンバー名は、図２中に示す各々の名前欄に設定される。例えば、図２中の二重線で囲った名前欄に設定されたメンバー名が代表メンバー３のメンバー名である。メンバーの配置は、該連絡網シートにおける各メンバー名の配置である。図２に示す連絡網シートは、各メンバー名が２列に並ぶ配置を有している。
【００１３】
連絡順序は、メンバー間で電話連絡する順序である。図２中に示すメンバー名同士を接続する矢印に従ったメンバー名の並び順が、連絡順序を示す。各メンバーの仮番号は、各メンバーに付与される仮の電話番号である。図２に示す連絡網シートにおいては、仮番号は、各々のメンバー名の右横の位置に設定される。なお、図２中に示すシート番号は、連絡網シートを一意に識別する識別番号である。仮番号及びシート番号は、連絡網シート登録部１２によって付与され、連絡網シートに登録される。
本発明の一実施形態によれば、連絡網シートが、各メンバーに電話によって連絡される内容のタイトル、代表メンバー３等のコメントが記入される欄（タイトル・コメント欄）を備えるようにしてもよい。
【００１４】
図３は、仮番号のデータ構成例を示す図である。
仮番号は、サービス認知コード、シートコード、メンバーコードを含んでいる。サービス認知コードは、該仮番号が付与されたメンバーのグループに対して提供される連絡網運営サービスを一意に識別する識別コードである。シートコードは、図２を参照して説明したシート番号である。メンバーコードは、該メンバーを一意に識別する識別コードである。
【００１５】
図４は、本発明の全体フロー例を示す図である。
図４のステップＳ１乃至４は、連絡網運営サービスの申し込みから連絡網シートの登録までの処理の一例を示す。まず、代表メンバー３の電話機３１が、公衆通信網６を通じて連絡網運営サーバ１のサービス受付部１１に連絡網運営サービスを申し込む（ステップＳ１）。サービス受付部１１が該連絡網運営サービスの申し込みを受け付けると、連絡網シート登録部１２が、代表メンバー３の情報機器３０に対してシート作成ツールを提供する（ステップＳ２）。情報機器３０が、代表メンバー３の操作に従って、上記提供されたシート作成ツールを用いて連絡網シートを作成する（ステップＳ３）。連絡網運営サーバ１の連絡網シート登録部１２が、該連絡網シートに各メンバーに対応する仮番号を付与（設定）して該連絡網シートを登録し（ステップＳ４）、代表メンバー３を通じて、各メンバーに仮番号を通知する（ステップＳ５）。ステップＳ５においては、例えば、連絡網シート登録部１２が、代表メンバー３が操作する情報機器３０に対して、該仮番号が設定された連絡網シートの情報を送信し、代表メンバー３が、メンバーの集会において該連絡網シートを各メンバーに配布することで仮番号を通知したり、Ｗｅｂの閲覧等を通じて各メンバーに仮番号を通知したりする。代表メンバー３は、各メンバーの自宅に訪問して該連絡網シートを配布するようにしてもよい。本発明の一実施形態によれば、代表メンバー３の情報機器３０内に、各メンバー（の電話機）の電子メールアドレスが予め記憶されており、該情報機器３０が、上記連絡網シート登録部１２から連絡網シートを受信した時に、電子メールを通じて各メンバー（の電話機）に仮番号を通知するようにしてもよい。
また、例えば、上記ステップＳ５においては、更に、サービス期間管理部１５が、ステップＳ１において申し込まれた連絡網運営サービスの提供期間（サービス期間）を設定する。
【００１６】
次に、メンバーの電話機が、該メンバーの操作に従って該メンバーの本番号を入力して該本番号を連絡網運営サーバ１の電話番号登録部１３に通知すると、該電話番号登録部１３が、該通知された本番号を登録する（ステップＳ６）。具体的には、電話番号登録部１３は、該本番号を該メンバーの仮番号と対応付けて仮番号・本番号対応テーブル１７に記憶する。
電話番号登録部１３が、全てのメンバーの本番号を登録したかを判断する（ステップＳ７）。電話番号登録部１３が、本番号が登録されていないメンバーがあると判断した場合、電話番号登録部１３は、代表者（代表メンバー３）が操作する情報機器３０（又は電話機３１）に連絡する（ステップＳ８）。そして、代表メンバー３が、例えば電子メール等を通じて、本番号が登録されていないメンバーに対して、本番号の入力及び連絡網運営サーバ１への送信を行うよう督促する（ステップＳ９）。
【００１７】
上記ステップＳ７において、電話番号登録部１３が、全てのメンバーの本番号を登録したと判断した場合は、電話番号登録部１３は、代表メンバー３の情報機器３０（又は電話機３１）に対して連絡網運営サービスの提供が開始されたことを通知する（ステップＳ１０）。そして、各メンバー及び連絡網サーバ３によって、連絡網運営サーバが運用される（ステップＳ１１）。
サービス期間管理部１５が、サービス期間が終了したか（連絡網運営サービスの提供が終了するサービス終了期間が到来したか）を判断する（ステップＳ１２）。本発明の一実施形態によれば、サービス期間管理部１５が、代表メンバー３の情報機器３０との間で電子メールを送受信したり、代表メンバー３に電話連絡することによって、サービス期間の継続又は打ち切りを決定することで、該サービス期間が終了したかを判断するようにしてもよい。サービス期間管理部１５が、サービス期間が終了していないと判断した場合は、ステップＳ１１に戻る。サービス期間管理部１５が、サービス期間が終了したと判断した場合は、サービス期間管理部１５は、代表メンバー３が操作する情報機器３０（又は電話機３１）に対して、連絡網運営サービスの終了を通知する（ステップＳ１３）。
【００１８】
図５は、図４のステップＳ１乃至４において説明した、連絡網運営サービスの申し込みから連絡網シートの登録までの処理の詳細な例を説明する図である。まず、代表メンバー３の電話機３１が、連絡網運営サーバ１に対して電話する（ステップＳ２１）。次に、代表メンバー３の情報機器３０（又は電話機３１）が、代表メンバー３の操作に従って、連絡網運営サービスの申し込みを行う（ステップＳ２２）。連絡網運営サーバ１のサービス受付部１１が、ステップＳ２２において行われた連絡網運営サービスの申し込みを受け付け、連絡網シート登録部１２が、該連絡網運営サービスを申し込んだ情報機器３０（又は電話機３１）を操作する代表メンバーのグループについて、連絡網シートのシート番号を付与する（ステップＳ２３）。
【００１９】
次に、代表メンバーが操作する情報機器３０が、シート作成ツールの提供方法を選択し（ステップＳ２４）、該シート作成ツールの提供方法の選択情報を連絡網運営サーバ１の連絡網シート登録部１２に対して送信する。ステップＳ２４において選択されたシート作成ツールの提供方法が、Ｗｅｂ上での連絡網シートの作成を示す場合、連絡網シート登録部１２は、シート作成サイトのＵＲＬを情報機器３０の画面上に提示（表示）する（ステップＳ２５）。情報機器３０は、代表メンバー３の操作に従って、該シート作成サイトにアクセスして、連絡網シートを作成する（ステップＳ２６）。連絡網シート登録部１２は、作成された連絡網シートを登録するとともに、上記代表メンバーのグループに属する各メンバーに仮番号を付与する（ステップＳ３１）。ステップＳ３１においては、連絡網シート登録部１２は、例えば、連絡網シートに各メンバーに対応する仮番号を設定し、該連絡網シートを登録して連絡網シート記憶部１６に記憶する。
【００２０】
上記ステップＳ２４において選択されたシート作成ツールの提供方法が、シート作成ツールのダウンロードを示す場合、連絡網シート登録部１２は、シート作成ツールをダウンロードするためのサイト（以下、「ツールダウンロードサイト」という）のＵＲＬを情報機器３０の画面上に提示（表示）する（ステップＳ２７）。情報機器３０は、代表メンバー３の操作に従って、ツールダウンロードサイトにアクセスしてツールソフトをダウンロードする（ステップＳ２８）。そして、情報機器３０が、代表メンバー３の操作に従って、該ダウンロードされたツールソフトを使用して連絡網シートを作成し（ステップＳ２９）、該連絡網シートを連絡網シート登録部１２に送付（送信）する（ステップＳ３０）。そして、ステップＳ３１において、連絡網シート登録部１２が、情報機器３０から送付された連絡網シートを登録するとともに、各メンバーに仮番号を付与する。
【００２１】
図６は、連絡網シートの作成処理の例を説明する図である。
まず、連絡網運営サーバ１の連絡網シート登録部１２が、連絡網シートのシート番号を登録する（ステップＳ１０１）。次に、代表メンバー３の情報機器３０が、代表メンバー３の操作に従って、該連絡網シートにメンバー数を設定する（ステップＳ１０２）。次に、該情報機器３０が、該連絡網シートにメンバー名を登録する（ステップＳ１０３）。次に、該情報機器３０が、各メンバーの配置を決定する（ステップＳ１０４）。次に、該情報機器３０が、各メンバーの連絡順路を設定する（ステップＳ１０５）。ステップＳ１０５において、情報機器３０は、例えば、該連絡網シート上で、ステップＳ１０４において配置が決定された各メンバーのメンバー名を矢印で接続することによって、該連絡順路を設定する。そして、該情報機器３０が、代表メンバー３の操作に従って、該連絡網シートにタイトル、コメント等を記入して（ステップＳ１０６）、処理を終了する。
【００２２】
図７は、図４のステップＳ６における本番号の登録から図４のステップＳ１１における連絡網運営サービスの運用までの処理の詳細な例を説明する図である。
メンバーの電話機が、該メンバーの操作に従って、仮番号へ電話すると（ステップＳ４１）、電話番号登録部１３が、該電話を受け、該仮番号に基づいて、該メンバーのグループに対応する連絡網運営サービス、該グループに対応する連絡網シート、該メンバーを特定する（ステップＳ４２）。ステップＳ４２においては、電話番号登録部１３は、該仮番号に含まれるサービス認知コードに基づいて上記グループに対応する連絡網運営サービスを特定し、該仮番号に含まれるシートコードに基づいて該グループに対応する連絡網シートを特定し、該仮番号に含まれるメンバーコードに基づいて該メンバーを特定する。
【００２３】
次に、電話番号登録部１３が、上記仮番号に対応するメンバーが、該電話したメンバー本人か、該メンバー本人以外の他のメンバーかを判断する（ステップＳ４３）。ステップＳ４３においては、電話番号登録部１３は、例えば、該電話の発信元の電話機に対して、該電話の発信先が該電話の発信元と同じであるかを音声メッセージ等で問い合わせ、該問い合わせに対する該電話の発信元の電話機からの応答内容に基づいて、上記仮番号に対応するメンバーが、該電話したメンバー本人か他のメンバーかを判断する。
電話番号登録部１３が、該仮番号に対応するメンバーが他のメンバーであると判断した場合、電話番号登録部１３は、仮番号・本番号対応テーブル１７を参照して、該他のメンバーが登録した該他のメンバーに対応する本番号を抽出（取得）する（ステップＳ４４）。電話番号登録部１３は、該本番号が登録済みであるかを判断する（ステップＳ４５）。電話番号登録部１３が、該本番号が登録済みでないと判断した場合、電話番号登録部１３は、該本番号が登録済みでないことを示す音声メッセージを上記電話したメンバーの電話機に対して応答し（ステップＳ４６）、処理を終了する。電話番号登録部１３が、該本番号が登録済みであると判断した場合、電話番号登録部１３は、電話回線接続部１４に指示して、該本番号にて電話回線を接続させる（ステップＳ４７）。
なお、上記ステップＳ４７において、電話番号登録部１３が電話回線接続部１４に指示して、本番号にて電話回線を接続させる時には、接続先の相手に電話の発信元の電話番号を知られないようにするために、非通知設定にて回線接続させる。
【００２４】
上記ステップＳ４３において、電話番号登録部１３が、上記仮番号に対応するメンバーが、該電話したメンバー本人であると判断した場合、電話番号登録部１３は、該メンバーのアクセス回数をカウントする（ステップＳ４８）。電話番号登録部１３が、該メンバーのアクセス回数が１回であるかを判断する（ステップＳ４９）。電話番号登録部１３が、該メンバーのアクセス回数が１回であると判断した場合はステップＳ５３に進む。電話番号登録部１３が、該メンバーのアクセス回数が１回でないと判断した場合は、電話番号登録部１３は、該メンバーにパスワード（ＰＷ）の入力を促し、該メンバーの操作に従って該メンバーの電話機から入力されたパスワードを受け付ける（ステップＳ５０）。電話番号登録部１３が、ステップＳ５０において入力されたパスワードを検証して、該パスワードが確認（認証）されたかを判断する（ステップＳ５１）。電話番号登録部１３が、パスワードが確認（認証）されないと判断した場合は、パスワードの入力を促す音声メッセージを該メンバーの電話機に対して応答する（ステップＳ６１）。
【００２５】
電話番号登録部１３が、パスワードが確認（認証）されたと判断した場合、電話番号登録部１３は、該メンバーの電話機に対して処理モードの選択を促し、該メンバーの操作に従って該メンバーの電話機から選択された処理モードを受け付ける（ステップＳ５２）。ステップＳ５２において受け付けられた処理モードが、パスワードを設定するパスワードモードである場合、電話番号登録部１３は、該メンバーの電話機によって行われたパスワード入力に従って、該メンバーに対応するパスワードの設定又は変更を行う（ステップＳ５３）。ステップＳ５３においてパスワードの設定処理を行うのは、該メンバーとは異なる他人が本番号を登録することを防止するためである。
【００２６】
電話番号登録部１３は、該メンバーの電話機によって入力されたパスワードの確認処理（例えば音声による読み上げ）を行い（ステップＳ５４）、該メンバーの電話機からの応答に従って、該入力されたパスワードが正しいか（ＯＫか）を判断する（ステップＳ５５）。具体的には、電話番号登録部１３がパスワードを読み上げると、該読み上げを聞いた上記メンバーが、該パスワードが正しい（ＯＫ）か誤り（ＮＧ）かを判断して、判断結果を電話番号登録部１３に対して応答する。例えば、該メンバーは、該パスワードが正しいと判断した場合には、電話機の番号「１」が付けられたキーを押し下げ、該パスワードが誤りであると判断した場合には、電話機の番号「０」が付けられたキーを押し下げて、上記判断結果を応答する。そして、電話番号登録部１３が、該メンバーから応答された判断結果に従って、該入力されたパスワードが正しいかを判断する。
電話番号登録部１３が、該入力されたパスワードが正しくないと判断した場合は、ステップＳ５３に戻る。電話番号登録部１３が、該入力されたパスワードが正しいと判断した場合は、ステップＳ５２に戻る。
【００２７】
ステップＳ５２において受け付けられた処理モードが、本番号を入力する本番号入力モードである場合、電話番号登録部１３は、該メンバーの電話機によって行われた本番号の入力に従って、該メンバーに対応する本番号を入力する（ステップＳ５６）。電話番号登録部１３は、該メンバーの電話機によって入力された本番号の確認処理（例えば音声による読み上げ）を行い（ステップＳ５７）、該メンバーの電話機からの応答に従って、該入力された本番号が正しいか（ＯＫか）を判断する（ステップＳ５８）。具体的には、電話番号登録部１３が、本番号を読み上げると、該読み上げを聞いた上記メンバーが、該本番号が正しい（ＯＫ）か誤り（ＮＧ）かを判断して、判断結果を電話番号登録部１３に対して応答する。例えば、該メンバーは、該本番号が正しいと判断した場合には、電話機の番号「１」が付けられたキーを押し下げ、該本番号が誤りであると判断した場合には、電話機の番号「０」が付けられたキーを押し下げて、上記判断結果を応答する。そして、電話番号登録部１３が、該メンバーから応答された判断結果に従って、該入力された本番号が正しいかを判断する。電話番号登録部１３が、該入力された本番号が正しくないと判断した場合は、ステップＳ５６に戻る。電話番号登録部１３が、該入力された本番号が正しいと判断した場合、電話番号登録部１３が該本番号を登録（該本番号を該メンバーの仮番号と対応付けて仮番号・本番号対応テーブル１７に記憶）して、ステップＳ５２に戻る。
【００２８】
ステップＳ５２において受け付けられた処理モードが、設定内容（設定されたパスワードの内容又は登録された本番号の内容）を確認する設定内容確認モードである場合、電話番号登録部１３が、該メンバーの電話機に対してパスワードの確認処理又は本番号の確認処理のいずれを選択するかを問い合わせ、該問い合わせに対する該メンバーの電話機からの応答に従って、パスワードの確認処理又は本番号の確認処理のいずれかを選択する（ステップＳ５９）。そして、電話番号登録部１３が、選択情報（選択された確認処理の対象の内容）の音声による読み上げを行って（ステップＳ６０）、ステップＳ５２に戻る。
上記ステップＳ６０においては、例えば、選択された確認処理がパスワードの確認処理である場合、電話番号登録部１３は、該メンバーに対応するパスワードを読み上げる。また、例えば、選択された確認処理が本番号の確認処理である場合、電話番号登録部１３は、該メンバーに対応する本番号を仮番号・本番号対応テーブル１７から抽出し、該抽出された本番号を読み上げる。該メンバーは、該読み上げられた本番号が誤っていると判断した場合には、上記ステップＳ５２において本番号入力モードを選択して、本番号を修正入力することができる。
【００２９】
本発明の一実施形態によれば、上記ステップＳ４４において、電話番号登録部１３が、上記電話が通知設定でかけられたものであるかを判断し、該電話が通知設定でかけられたと判断した場合にのみ上記他のメンバーに対応する本番号を抽出し、該電話が非通知設定でかけられたものであると判断した場合には、電話番号登録部１３は、該本番号を抽出しないようにしてもよい。通知設定は、電話の発信元の電話番号を電話の発信先に通知する設定であり、非通知設定は、電話の発信元の電話番号を電話の発信先に通知しない設定である。
【００３０】
図８は、連絡網シートの更新処理フローの一例を示す図である。
まず、代表メンバー３の電話機３１が、連絡網運営サーバ１に対して電話する（ステップＳ７１）。次に、代表メンバー３の情報機器３０が、代表メンバー３の操作に従って、シート変更サービスの申し込みを行う（ステップＳ７２）。該情報機器３０が、シートコードを入力する（ステップＳ７３）。また、該情報機器３０が、シート変更ツールの提供方法を選択し（ステップＳ７４）、該シート変更ツールの提供方法の選択情報を連絡網運営サーバ１の連絡網シート登録部１２に対して送信する。ステップＳ７４において選択されたシート変更ツールの提供方法が、Ｗｅｂ上（シート変更サイト上）での連絡網シートの作成を示す場合、連絡網シート登録部１２は、シート変更サイトのＵＲＬを情報機器３０の画面上に提示（表示）する（ステップＳ７５）。情報機器３０は、代表メンバー３の操作に従って、該シート変更サイトにアクセスして、連絡網シートを変更する（ステップＳ７６）。連絡網シート登録部１２は、連絡網シートを更新登録するとともに、上記代表メンバーのグループの新規メンバーに仮番号を付与する（ステップＳ８１）。ステップＳ８１においては、連絡網シート登録部１２は、例えば、連絡網シートに新規メンバーに対応する仮番号を設定し、該連絡網シートを登録して連絡網シート記憶部１６に記憶する。
【００３１】
上記ステップＳ７４において選択されたシート変更ツールの提供方法が、シート変更ツールのダウンロードを示す場合、連絡網シート登録部１２は、シート変更ツールをダウンロードするためのサイト（以下、「変更ツールダウンロードサイト」という）のＵＲＬを情報機器３０の画面上に提示（表示）する（ステップＳ７７）。情報機器３０は、代表メンバー３の操作に従って、変更ツールダウンロードサイトにアクセスして変更ツールソフトをダウンロードする（ステップＳ７８）。そして、情報機器３０が、代表メンバー３の操作に従って、該ダウンロードされた変更ツールソフトを使用して連絡網シートを変更し（ステップＳ７９）、該連絡網シートを連絡網シート登録部１２に送付（送信）する（ステップＳ８０）。そして、ステップＳ８１において、連絡網シート登録部１２が、情報機器３０から送付された連絡網シートを更新登録するとともに、新規メンバーに仮番号を付与する。
【００３２】
次に、代表メンバー３が該更新された連絡網シートを各メンバーに通知する（ステップＳ８２）。そして、新規メンバーによる本番号の入力に従って、電話番号登録部１３が、該新規メンバーの本番号を登録する（ステップＳ８３）。
電話番号登録部１３が、全てのメンバーの本番号を登録したかを判断する（ステップＳ８４）。電話番号登録部１３が全てのメンバーの本番号を登録したと判断した場合は、処理を終了する。電話番号登録部１３が、本番号が登録されていないメンバーがあると判断した場合、電話番号登録部１３は、代表者（代表メンバー３）が操作する情報機器３０（又は電話機３１）に連絡する（ステップＳ８５）。そして、代表メンバー３が、例えば電子メール等を通じて、本番号が登録されていないメンバーに対して、本番号の入力を行うよう督促する（ステップＳ８６）。
【００３３】
図９は、図８のステップＳ７６又はステップＳ７９における連絡網シートの変更処理の一例を説明する図である。
まず、連絡網運営サーバ１の連絡網シート登録部１２が、更新前の連絡網シートと、新たな連絡網シートを作成するためのエリア（新規作成シートエリア）とを情報機器３０に表示（提供）する（ステップＳ９１）。次に、代表メンバー３の情報機器３０が、代表メンバー３の操作に従って、新規メンバー数を設定する（ステップＳ９２）。また、該情報機器３０が、更新前の連絡網シートから、新たな連絡網シートへの設定が必要なメンバーとメンバーの仮番号とを、上記新規作成シートエリア内にコピーする（ステップＳ９３）。次に、該情報機器３０が、追加が必要な新規メンバー（の名前）を新規作成シートエリアに設定するとともに、該新規メンバーの配置及び連絡順序を設定することで、新たな連絡網シートを作成し（ステップＳ９４）、処理を終了する。
【００３４】
図１０は、更新後の新たな連絡網シートの例を示す図である。
図９を参照して説明した連絡網シートの変更処理に従って、例えば、図２に示す連絡網シートが変更されて、図１０に示すような新たな連絡網シートが作成される。
【産業上の利用可能性】
【００３５】
以上、説明したように、本発明によれば、グループのメンバーの誰もが、他のメンバーの電話番号を知らなくても該他のメンバーに対して連絡することができる。その結果、個人情報である電話番号の漏洩を防止しつつ、メンバー間で連絡することを可能とすることができる。また、本発明によれば、各メンバーは、各メンバーが通常使用している電話機を用いて他のメンバーに対して電話連絡することができる。また、該電話連絡のための電話料金は、通常の電話料金として処理することが可能となる。更に、本発明によれば、安価なサービス料金で連絡網運営サービスを提供することができる。
また、本発明によれば、代表メンバーが、例えば代表装置上に表示された連絡網シートから必要な情報をコピーした上で、新規メンバーの設定等の処理を行うことで、更新後の新たな連絡網シートを容易に作成することが可能となる。
【図面の簡単な説明】
【００３６】
【図１】本発明の全体構成の一例を示す図である。
【図２】連絡網シートの一例を示す図である。
【図３】仮番号のデータ構成例を示す図である。
【図４】本発明の全体フロー例を示す図である。
【図５】連絡網運営サービスの申し込みから連絡網シートの登録までの処理の詳細な例を説明する図である。
【図６】連絡網シートの作成処理の例を説明する図である。
【図７】本番号の登録から連絡網運営サービスの運用までの処理の詳細な例を説明する図である。
【図８】連絡網シートの更新処理フローの一例を示す図である。
【図９】連絡網シートの変更処理の一例を説明する図である。
【図１０】更新後の新たな連絡網シートの例を示す図である。
【符号の説明】
【００３７】
１  連絡網運営サーバ
２  通信キャリア
３  代表メンバー
４  第２のメンバー
５  第３のメンバー
６  公衆通信網
１１  サービス受付部
１２  連絡網シート登録部
１３  電話番号登録部
１４  電話回線接続部
１５  サービス期間管理部
１６  連絡網シート記憶部
１７  仮番号・本番号対応テーブル
３０  情報機器
３１、４１、５１  電話機
【図１】
2009049874.tif 000003
【図２】
2009049874.tif 000004
【図３】
2009049874.tif 000005
【図４】
2009049874.tif 000006
【図５】
2009049874.tif 000007
【図６】
2009049874.tif 000008
【図７】
2009049874.tif 000009
【図８】
2009049874.tif 000010
【図９】
2009049874.tif 000011
【図１０】
2009049874.tif 000012